(57)【要約】【課題】  簡単に詰め替え、交換を行うことができるものでありながら、通常の使用時においては、中皿の脱落の問題のないスティック状化粧料容器を提供すること。【解決手段】  外筒、螺旋筒、内筒、受筒、およびスティック状化粧料を充填した中皿を含み、受筒の外周に設けられた小突起が内筒に設けられたガイド溝でガイドされ、回動可能な外筒の内側と一体となった螺旋筒の螺旋溝により当該小突起が上下に移動し、中皿に充填されたスティック状化粧料を繰り出すスティック状化粧料用容器において、前記ガイド溝の上端を開放するとともに、前記小突起を受筒の下部に設け、さらに内筒および螺旋筒の上端と外筒の上端開口部との間に空間を設けたことを特徴とするスティック状化粧料用容器。【選択図】  図７ｂ
2006271757.tif 000002
【特許請求の範囲】
【請求項１】
外筒、螺旋筒、内筒、受筒、およびスティック状化粧料を充填した中皿を含み、受筒の外周に設けられた小突起が内筒に設けられたガイド溝でガイドされ、回動可能な外筒の内側と一体となった螺旋筒の螺旋溝により当該小突起が上下に移動し、中皿に充填されたスティック状化粧料を繰り出すスティック状化粧料用容器において、前記ガイド溝の上端を開放するとともに、前記小突起を受筒の下部に設け、さらに内筒および螺旋筒の上端と外筒の上端開口部との間に空間を設けたことを特徴とするスティック状化粧料用容器。
【請求項２】
小突起の位置が受筒外周の下端であって、さらに内筒および螺旋筒の上端と外筒の上端開口部との間の空間が３ｍｍないし５ｍｍであることを特徴とする請求項第１項記載のスティック状化粧料用容器。
【発明の詳細な説明】
【技術分野】
【０００１】
本発明は、スティック状化粧料を保持する容器に関し、更に詳細には、スティック状化粧料を保持する受筒および中皿を分解せずに交換することができるスティック状化粧料用容器の構成に関するものである。
【背景技術】
【０００２】
外筒を回転させることにより、内部に充填されたスティック状化粧料を繰り出す機構のスティック状化粧料容器は、使用しやすさから、口紅を始め、リップクリーム、コンシーラー等の化粧料容器として広く使用されている（例えば、特許文献１、特許文献２参照）。
【０００３】
従来のスティック状化粧料容器は、例えば、スティック状化粧料を充填した中皿および受筒、内筒、螺旋筒および外筒から構成される（図１〜図４参照）。図１ａは従来のスティック状化粧料容器の受筒と中皿を、図１ｂは該中皿を該受筒に嵌合した状態を示す（但し、スティック状化粧料は図示しない）。また、図２は従来のスティック状化粧料容器の内筒に前記中皿および受筒を装着した状態を示す。また、図３ａは従来のスティック状化粧料容器の螺旋筒を、図３ｂは図２の状態に該螺旋筒を装着した状態を示す。さらに、図４ａは外筒を、図４ｂは図３ｂの状態に該外筒を装着した状態を示す。さらに図４ｃは図４ｂの状態で容器上部を拡大した状態を示す。図中、１は受筒、２は中皿、３は内筒、４は螺旋筒、５は外筒を、さらに、１１は小突起、３１はガイド溝を、３２ａおよび３２ｂは停止切り欠きを、３３は突起抜け防止爪を、４１は螺旋溝をそれぞれ示す。
【０００４】
このうち、受筒１の外周部には小突起１１が、内筒３にはガイド溝３１が設けられ、また、螺旋筒４の内面には螺旋溝４１が切られている。そして、受筒１の小突起１１は、内筒３のガイド溝３１に沿って、外筒の内側と勘合一体となった螺旋筒４の回転に従い上下し、これにあわせてスティック状化粧料が出没する機構となっている。そして、かかるスティック状化粧料容器では、以下のような問題が生じていた。
【０００５】
すなわち、従来のスティック状化粧料容器では、化粧料成型上の不良処理時に中皿２の交換が必要となった場合、受筒１と中皿２の嵌合部の分解をしなければならない。すなわち、受筒１および中皿２を内筒３から取り外そうとすると、ガイド溝３１に設けられた突起抜け防止爪３３に小突起１１が係止するため、受筒１を内筒３から取り外すことはできないようになっているためである。
【０００６】
さらにかかる係止がはずれたとしても、受筒１の外寸（小突起部を含む）が外筒の上端開口部の径より大きいため、受筒１および中皿２を容器本体から取り外そうとすると小突起１１が外筒５の開口部周辺の端壁に係止するため、やはり、受筒１取り外すことはできない。この問題を解決するために、小突起１１が係止しないように該端壁を一部切り欠いて、受筒１および中皿２を容器本体から着脱自在にする方法も考えられるが、そもそも外筒５は、商品としての化粧料容器の美観を構成するものであるから、かかる切り欠きはその美観を損ねることになり、望ましくない。
【０００７】
したがって、化粧料成型上の不良処理時に中皿２を交換する際は、受筒１と中皿２の嵌合部を分解して、中皿２のみを容器本体から取り外さなければならず、その結果、受筒１と中皿２の嵌合部の部品精度において、嵌合および分解は容易で、且つ、使用時には中皿２が受筒１から抜けることのない精度が要求されていた。
【０００８】
しかしながら、受筒１と中皿２の部品精度を高めることには自ずと限界があり、実際には嵌合が強めの場合は、成型不良の分解時、受筒１に無理な力が加わり容器にダメージを与えてしまったり、嵌合が緩めの場合は、使用時中皿２が受筒１から抜けてしまうなどの事態を招来していた。
【０００９】
以上のような構造を有する従来のスティック状化粧料容器は、詰め替えや交換などを考えた場合は非常に使用しにくいものである。すなわち、上述のとおり受筒および中皿が容易に取り外しできないように構成されているので、中皿自体の交換は一旦化粧品容器を分解して行うか、もしくは、容器にダメージを与えるおそれを冒しながら行うしかなかった。
【００１０】
【特許文献１】特開平２００１−３２７３３０号公報
【特許文献２】実開平６−０５５５１２号公報
【発明の開示】
【発明が解決しようとする課題】
【００１１】
従って本発明は、簡単に詰め替え、交換を行うことができるものでありながら、通常の使用時においては、中皿の脱落の問題のないスティック状化粧料容器の提供をその課題とするものである。
【課題を解決するための手段】
【００１２】
本発明は、上記課題を解決するためのものであり、外筒、螺旋筒、内筒、受筒、およびスティック状化粧料を充填した中皿を含み、受筒の外周に設けられた小突起が内筒に設けられたガイド溝でガイドされ、回動可能な外筒の内側と一体となった螺旋筒の螺旋溝により当該小突起が上下に移動し、中皿に充填されたスティック状化粧料を繰り出すスティック状化粧料用容器において、前記ガイド溝の上端を開放するとともに、前記小突起を受筒の下部に設け、さらに内筒および螺旋筒の上端と外筒の上端開口部との間に空間を設けたことを特徴とするスティック状化粧料用容器である。
【発明の効果】
【００１３】
本発明のスティック状化粧料用容器は、部材嵌合部の精度に頼る事無く、また、嵌合された部分を無理な力で抜くのでなく、嵌合された部材その物を容器から取り出し、且つ新しい成型品をセット出来るので、化粧料の容易な詰め替えおよび交換と、中皿の脱落の防止を両立させることができるという利点を有する。
【発明を実施するための最良の形態】
【００１４】
以下、本発明の一実施態様を示す図面を挙げ、本発明を更に詳しく説明するが、本発明はこれに何ら制約されるものではない。
【００１５】
図５ａは本発明における受筒を、図５ｂは本発明における中皿を図５ａの受筒に嵌合した状態を示す。図６は本発明における内筒を示す。図７ａは本発明における化粧用容器において外筒まで装着した状態を、図７ｂは図７ａの状態で一部を切り欠いた状態を、図７ｃは図７ａの状態で容器上部を拡大し、一部を切り欠いた状態を示す。図８は受筒、中皿、および容器体本体（螺旋筒は省略する）の一部を切り欠いた状態を、図９ａないし図９ｄは、容器体本体（螺旋筒は省略する）に受筒および中皿を装着する一連の動作を表したものをそれぞれ示す。図中、１は受筒、２は中皿、３は内筒、４は螺旋筒、５は外筒、６は空間を、さらに、１１は小突起、３１はガイド溝を、３２ａおよび３２ｂは停止切り欠きを、４１は螺旋溝を、Ｘは内筒３の上端と外筒５の上端開口部との空間の長さを、Ｙは外筒５の上端開口部の径を、Ｚは受筒１の外寸（小突起１１部を含む）をそれぞれ示す。
【００１６】
本実施態様のスティック状化粧料用容器は、図１ないし図４で説明した従来のスティック状化粧料用容器と同様、基本的に、外筒５、螺旋筒４、内筒３、受筒１、およびスティック状化粧料を充填した中皿２から構成されるが、ガイド溝３１の上端を開放するとともに、小突起１１を受筒の下端に設け、さらに内筒３および螺旋筒４の上端と外筒５の上端開口部との間に空間６を設けた点で相違する。
【００１７】
すなわち、本実施態様で用いる受筒１の形状を図５に示すが、受筒１の外周部に形成されている小突起１１が、従来のスティック状化粧料容器で用いる受筒１の場合は中心よりやや上部に形成されているのに対し（図１参照）、外周部の最下端に形成されている点において異なる。なお本実施態様では、小突起１１は外周部の最下端に位置しているが、該位置は、受筒１を傾けることにより小突起１１を外筒５の空間６に抜き差し可能となる位置であればよい。
【００１８】
また、従来のスティック状化粧料容器で用いる内筒３では突起抜け防止爪３３がガイド溝３１の上端に形成されているのに対し（図２参照）、図６に示すとおり、本実施態様で用いる内筒３の形状は、ガイド溝３１の上端が開放されている点において相違する。
【００１９】
さらに、従来のスティック状化粧料容器では、内筒３の上端と外筒５の内側上部との間はほぼ密着しているのに対し（図４ｃ参照）、図７ｃに示すとおり、本実施態様では内筒３の上端と外筒５の内側上部との間に空間６を設けた点において相違する。かかる空間は、従来のスティック状化粧料容器の外筒５の全長を伸ばすか、あるいは内筒３および螺旋筒４の全長を短くするか、もしくはその両方により得られる。なお空間の長さＸは、受筒１の小突起１１がともに該空間内にある場合に（図９ｂ参照）、受筒１を傾けて空間６から小突起１１を抜き差しできる程度の余裕があればよく、特に３ｍｍ〜５ｍｍ程度が望ましい。
【００２０】
次に、本実施態様において、受筒１および中皿２を容器体本体に抜き差しする機構について、図８および図９により説明する。
【００２１】
図８に示すように、受筒１の外寸Ｚは外筒５の上端開口部の径Ｙよりも大きいため、受筒１を図８に示す姿勢のまま垂直に容器体本体に挿入しようとしても、受筒１の小突起１１に対し外筒５の上端開口部周辺の端壁が障害となり、それ以上の挿入を妨げてしまう。
【００２２】
そこで、まず、受筒１を傾けて小突起１１を片側から内筒３の上端と外筒５の上端開口部との空間６に斜めに差し込み（図９ａ参照）、次に、差し込んだ小突起１１側の受筒１の側面を、上端開口部の周辺端壁に押接させつつ、受筒１をもとの垂直の姿勢に戻すことにより、もう一方の小突起１１も該空間に差し込むことができる（図９ｂ参照）。
【００２３】
受筒１の小突起１１を外筒５の上端開口部から挿入した後は、内筒３上端のガイド溝３１開放部から小突起１１を挿入し、その後は従来のスティック状化粧料用容器同様に収納すればよい（図９ｃおよび９ｄ参照）。
【００２４】
次に、通常の使用時においては、化粧料の繰り上げ繰り下げに応じて受筒１の小突起１１が内筒３のガイド溝３１内を上下移動するが、化粧料を最大限繰り出す場合、小突起１１はガイド溝３１上部に設けられた停止切り欠き３２ａに係止する機構となっているため、受筒１がその位置よりも上部に移動して、ガイド溝３１開放部から抜けてしまうおそれはない（図９ｃ参照）。
【００２５】
すなわち、外筒５を左に回転させることにより、外筒５の内側と一体となった螺旋筒４の螺旋溝４１に係合した小突起１１は押し上げられ、これに伴って受筒１自体も上がってゆくが、ガイド溝３１の上部に停止切り欠き３２ａが設けられているため、それまでガイド溝３１の左端と螺旋溝４１で抑えられていた左向きの力が働くことになり、小突起１１は、図９ｃの破線の円で示される位置でなく、停止切り欠き３２ａ、すなわち実線の円で示した位置に収納されることになる。そして、これ以上螺旋筒４の回転を行おうとしても、小突起１１は停止切り欠き３２ａで抑えられるため、更に上方へ動くことはできなくなる。
【００２６】
一方、使用済みないし成型不良のスティック状化粧料を容器体本体から取り外す場合には、まず、図９ｃの状態で中皿２を治具等で掴み、小突起１１を停止切り欠き３２ａから図９ｃの破線の円で示される位置に移動させる。ここまで移動させると、ガイド溝３１の上端部は開放されているから、受筒1を図９ｂに示す位置まで移動させることができ、その後は挿入時と同様、受筒1を傾け、小突起１１を片側ずつ外筒５の上端開口部から取り外すことにより、容易に化粧料成型上の不良処理時に化粧料を中皿２と共に取り出すことができる。
【産業上の利用可能性】
【００２７】
本発明のスティック状化粧料容器は、化粧料を簡単に詰め替え、交換を行うことができるものでありながら、通常の使用時においては、中皿の脱落の問題のないものである。
【００２８】
従って、成型不良時に容器から容易に部品交換が出来容器本体を確実に再利用できる方法として、資源保護及び廃棄物を押える効果があり、又生産上は、工程の安定及び勘合不備によるクレームの発生を防止でき、又容器の廃棄が減少する為、数量確保からも納期遵守として良好なスティック状化粧料容器として、口紅、リップクリーム、コンシーラー、皮膚美白用スティック、日焼け止めスティック等の化粧料に有利に使用することができるものである。
【図面の簡単な説明】
【００２９】
【図１】ａは、従来のスティック状化粧料用容器の受筒および中皿の嵌合前の透視斜視図。ｂは、図１ａの中皿を受筒に嵌合した状態の一部切り欠き斜視図。
【図２】従来のスティック状化粧料用容器の内筒に中皿および受筒を装着した状態の斜視図。
【図３】ａは、従来のスティック状化粧料用容器の螺旋筒の透視斜視図。ｂは、図２の状態に螺旋筒を装着した状態の一部切り欠き斜視図。
【図４】ａは、従来のスティック状化粧料用容器の外筒の透視斜視図。ｂは、図３ｂの状態に外筒を装着した状態の斜視図。ｃは、図４ｂの状態で容器上部を拡大し、一部を切り欠いた側面図。
【図５】ａは、本発明における受筒１の透視斜視図。ｂは、本発明における中皿を図５ａの受筒に嵌合した状態における一部切り欠き斜視図。
【図６】本発明における内筒の斜視図。
【図７ａ】本発明における化粧用容器において外筒まで装着した状態の斜視図。
【図７ｂ】図７ａの状態で一部を切り欠いた斜視図。
【図７ｃ】図７ａの状態で容器上部を拡大し、一部を切り欠いた側面図。
【図８】本発明における受筒、中皿、内筒、外筒の一部を切り欠いた正面図。
【図９】ａは、本発明における容器体本体（螺旋筒は省略する）に受筒および中皿を装着する一連の動作を表した一部切り欠き正面図。ｂは、本発明における容器体本体（螺旋筒は省略する）に受筒および中皿を装着する一連の動作を表した一部切り欠き正面図。ｃは、本発明における容器体本体（螺旋筒は省略する）に受筒および中皿を装着する一連の動作を表した一部切り欠き側面図。ｄは本発明における容器体本体（螺旋筒は省略する）に受筒および中皿を装着する一連の動作を表した一部切り欠き側面図。
【符号の説明】
【００３０】
１  …  …  受筒
２  …  …  中皿
３  …  …  内筒
４  …  …  螺旋筒
５  …  …  外筒
６  …  …  空間
１１  …  …  小突起
３１  …  …  ガイド溝
３２  …  …  停止切り欠き
３３  …  …  突起抜け防止爪
４１  …  …  螺旋溝
Ｘ  …  …  内筒３の上端と外筒５の上端開口部との空間の長さ
Ｙ  …  …  外筒５の上端開口部の径
Ｚ  …  …  受筒１の外寸（小突起１１部を含む）
以    上
【図１】
2006271757.tif 000003
【図２】
2006271757.tif 000004
【図３】
2006271757.tif 000005
【図４】
2006271757.tif 000006
【図５】
2006271757.tif 000007
【図６】
2006271757.tif 000008
【図７ａ】
2006271757.tif 000009
【図７ｂ】
2006271757.tif 000010
【図７ｃ】
2006271757.tif 000011
【図８】
2006271757.tif 000012
【図９】
2006271757.tif 000013